(57)【要約】      （修正有）【課題】簡単かつ作業性良く、埋設既設鋳鉄管の外面の防食を行う構造を提供する。【解決手段】掘り起こして露出させた既設鋳鉄管Ｐの一部に、ポリエチレンシート１０をその下方から上方に巻回し、両切り込みを境にした一方の突出端部１２ａの中央の突出片を前記切り込みを通して他方の突出端部１２ｂの中央の突出片の裏側に重ねるとともに、両切り込みを境にした他方の突出端部の両側の突出片を前記切り込みを通して一方の突出端部の両側の突出片の裏側に重ねて、両突出端部を噛み合わせて固定する。その噛み合い部を切り込みの先が折り曲げ線に至らないように内側に位置させて重ねて折り曲げて鋳鉄管の外周面に沿わせ、ゴムバンド１４等で固定する。【選択図】図１Ｄ
2018112273.tif 000002
【特許請求の範囲】
【請求項１】
土中埋設の鉄管（Ｐ）の外周面に沿って防食シート（１０）が巻回され、その防食シート（１０）の両端部（１２ａ、１２ｂ）は、重ね合わさって突出して固定されているとともに、突出基縁（１３）を介して折り曲げられて鉄管（Ｐ）の外周面に沿わせて固定され、かつ、その突出端部（１２ａ、１２ｂ）は鉄管（Ｐ）の上面に位置する鉄管外面防食構造。
【請求項２】
上記重ね合わせて突出させた両突出端部（１２ａ、１２ｂ）は、鉄管（Ｐ）外周方向の切り込み（１１）がそれぞれ形成されており、その切り込み（１１）を境にした一方の突出端部（１２ａ）の一方の突出片（１３ａ１）が前記切り込み（１１）を通って他方の突出端部（１２ｂ）の一方の突出片（１３ｂ１）の裏側に重なっているとともに他方の突出端部（１２ｂ）の他方の突出片（１３ｂ２）が前記切り込み（１１）を通って一方の突出端部（１２ａ）の他方の突出片（１３ａ２）の裏側に重なって、両突出端部（１２ａ、１２ｂ）が噛み合って固定されており、その噛み合い部が上記折り曲げられた部分の内側に位置する請求項１に記載の鉄管外面防食構造。
【請求項３】
土中埋設の鉄管（Ｐ）の外周面に沿って防食シート（１０）を巻回し、そのシート（１０）の両端部（１２ａ、１２ｂ）を鉄管（Ｐ）の外周上面で重ね合わせ突出させて固定し、その重ね合わせ固定した両突出端部（１２ａ、１２ｂ）を折り曲げて鉄管（Ｐ）の外周面に沿わせて固定する鉄管外面防食方法。
【請求項４】
上記重ね合わせて突出させた両突出端部（１２ａ、１２ｂ）は、鉄管（Ｐ）外周方向の切り込み（１１）がそれぞれ形成されており、その切り込み（１１）を境にして一方の突出端部（１２ａ）の一方の突出片（１３ａ１）を前記切り込み（１１）を通して他方の突出端部（１２ｂ）の一方の突出片（１３ｂ１）の裏側に重ねるとともに他方の突出端部（１２ｂ）の他方の突出片（１３ｂ２）を前記切り込み（１１）を通して一方の突出端部（１２ａ）の他方の突出片（１３ａ２）の裏側に重ねて、両突出端部（１２ａ、１２ｂ）を噛み合せて固定する請求項３に記載の鉄管外面防食方法。
【発明の詳細な説明】
【技術分野】
【０００１】
この発明は、地中に埋設される鋳鉄管等の鉄管を腐食から保護する鉄管外面防食構造及びその防食方法に関するものである。
【背景技術】
【０００２】
水道やガス等の配管には、鋳鉄管が広く使用されており、その多くは地中に埋設されて、地中の水分や腐食性土壌などに晒される。このため、従来から、図３に示すように、その鋳鉄管ＰにポリエチレンスリーブＳ（Ｓ１、Ｓ２）を被覆することが行われている（特許文献１〜４等参照）。そのポリエチレンスリーブＳをダクタイル鉄管Ｐに施工する要領として、一般社団法人  ダクタイル鉄管協会が「ダクタイル鉄管用ポリエチレンスリーブの施工要領書」を示している。
この要領書に則って、鉄管Ｐの外面防食が行われており、従来、スリーブ（筒）Ｓであることから、鉄管Ｐの端からそのポリエチレンスリーブＳを嵌めて、鉄管径より大きいスリーブＳを鉄管Ｐの外周面頂部（図３において上面）で折り畳んで固定する様にしている。スリーブＳの鉄管Ｐへの固定には、ゴムバンドＢ１、結束バンドＢ２や接着剤が使用されている（特許文献１図７符号４等参照）。
また、Ｔ字管等では、スリーブを軸方向で切断してシート状にしたり、管形状に形成して管に被せた後、その衝合縁を接着したり、ファスナーで接合したりしている（特許文献２図１〜図８、特許文献４図１〜図１１等参照）。
【先行技術文献】
【特許文献】
【０００３】
【特許文献１】特開平６−３３１０６８号公報
【特許文献２】特開平７−１３７１３１号公報
【特許文献３】特開平９−２６４４８９号公報
【特許文献４】特開２０１４−１０１９０９号公報
【発明の概要】
【発明が解決しようとする課題】
【０００４】
筒状のスリーブＳを鉄管Ｐに嵌める作業は、スリーブＳの軸方向の移動のため、煩雑であって、作業性が悪い。また、管路調査や管工事のために、既設埋設管の一部を露出させた後、その露出管に筒状のスリーブＳを装着させることは不可能なので、スリーブＳをその長さ方向の切り線で切断してシート状とし、そのシートを鉄管Ｐに巻きつけて装着することとなり、その切断したシート状のスリーブＳを鉄管Ｐの外周面に装着（巻回）すると、スリーブＳの径が鉄管Ｐの外周長に足らない場合があり、その場合、シート状スリーブＳの対向する切断縁の間に隙間が生じて防水性が低下し防食性も低下する。このため、その隙間の防水処理をする必要がある。
さらに、フアスナーによる係止は作業性は良いが、防水性を有するファスナーを使用しなければならない等のコスト面で問題がある。
【０００５】
この発明は、以上の実状の下、簡単な構造で安価な防食構造を提供することを課題とする。
【課題を解決するための手段】
【０００６】
上記課題を達成するため、この発明に係る鉄管外面防食構造は、土中埋設の鉄管の外周面に沿って防食シートが巻回され、そのシートの両端部は、重ね合わさって突出して固定されているとともに、突出基縁を介して折り曲げられて鉄管の外周面に沿わせて固定され、かつ、その突出端部は鉄管の上面に位置する構成を採用したのである。
防食シートの巻回はその作業が容易であり、重ね合った突出端部は折り曲げられて三層になって鉄管外周上面に位置するため、土中への埋設時、その突出端部から土が入り込むことは無い。
この構成において、シートの両端部の固定手段は、種々の態様が考えられ、例えば、接着剤で固定したり、クリップで固定したり、さらに、重ね合わせて突出させた両突出端部に、鉄管外周方向の切り込みをそれぞれ形成し、その切り込みを境にした一方の突出端部の一方の突出片を前記切り込みを通して他方の突出端部の一方の突出片の裏側に重ねるとともに他方の突出端部の他方の突出片を前記切り込みを通して一方の突出端部の他方の突出片の裏側に重ねて、両突出端部を噛み合せて固定し、その噛み合い部を折り曲げ部の内側に位置する態様などが考えられる。
【０００７】
上記課題を達成するためのこの発明に係る鉄管外面防食方法としては、土中埋設の鉄管の外周面に沿って防食シートを巻回し、そのシートの両端部を鉄管の外周上面で重ね合わせて突出させ、その重ねあわせた両突出端部を、固定するとともに突出基縁を介して折り曲げて鉄管の外周面に沿わせて固定する構成を採用することができる。
【０００８】
この構成において、上記と同様に、上記重ね合わせて突出させた両突出端部は、鉄管外周方向の切り込みがそれぞれ形成されており、その切り込みを境にした一方の突出端部の一方の突出片を前記切り込みを通して他方の突出端部の一方の突出片の裏側に重ねるとともに、他方の突出端部の他方の突出片を前記切り込みを通して一方の突出端部の他方の突出片の裏側に重ねて、その両突出端部を噛み合せて固定し、その噛み合い部を上記折り曲げ部の内側に位置するようにすることができる。
なお、上記一方の両突出片が表裏で重なれば、切り込みを境にした他方の両突出片も自ずと表裏で重なって噛み合った状態となる。このため、例えば、切り込みが一本であれば、両突出端部の左右の突出片が表裏となるように重ねられ、切り込みが３本であれば、突出片が４片となって、それらが交互に表裏となるように重ねるように噛み合わせた状態となり、以下、切り込みの数によって同様の態様となる。
【発明の効果】
【０００９】
この発明は、以上のように構成したので、簡単な作業によって確実な防食を行うことができる。
【図面の簡単な説明】
【００１０】
【図１Ａ】この発明に係る鉄管外面防食構造及びその防食方法の一実施形態を示す作用説明における防食シートの展開斜視図
【図１Ｂ】同作用説明用斜視図
【図１Ｃ】（ａ）は同作用説明用斜視図、（ｂ）は同切断側面図
【図１Ｄ】同作用説明用斜視図
【図２Ａ】この発明に係る鉄管外面防食構造及びその防食方法の他の実施形態を示す作用説明における防食シートの展開斜視図
【図２Ｂ】同作用説明用斜視図
【図２Ｃ】（ａ）は同作用説明用斜視図、（ｂ）は同切断側面図
【図２Ｄ】同作用説明用斜視図
【図３】鉄管への防食スリーブの被覆説明図
【発明を実施するための形態】
【００１１】
この発明に係る鉄管外面防食構造及びその防食方法の一実施形態を図１Ａ〜図１Ｄに示し、この実施形態は、ダクタイル鋳鉄管Ｐの直部に、防食シートであるポリエチレンシート１０を被覆して防食を図るものである。
ポリエチレンシート１０は、図１Ａに示すように、鋳鉄管Ｐの下記露出部のほぼ全長に亘る長さＬを有するとともに、その幅は鋳鉄管Ｐの外周Ｔより長いものである。なお、鋳鉄管Ｐ及びポリエチレンシート１０の長さは図示では短く描いており、実際はもっと長く、例えば外周Ｔ：０．２〜４．８ｍ程度、長さＬ：０．５〜４．０ｍ程度である。以下、同様とする。
そのポリエチレンシート１０の両側縁には所要の間隔をもって切り込み１１が形成されており、その切り込み１１の長さは、巻回してその突出端部１２ａ、１２ｂを重ねた際（図１Ｃ（ａ）参照）、鋳鉄管Ｐの外周面に至らないものとなっている。切り込み１１の数及び間隔は、両突出端部１２ａ、１２ｂを噛み合わせて固定し得れば、任意である。
【００１２】
このポリエチレンシート１０によって鋳鉄管Ｐを被覆するには、まず、既設鋳鉄管Ｐを掘り起こしてその一部を露出させた後、図１Ｂに示すように、ポリエチレンシート１０をその露出した鋳鉄管Ｐの下方から上方に巻回し、両切り込み１１、１１を境にした一方の突出端部１２ａの中央の突出片１３ａ１を前記切り込み１１を通して他方の突出端部１２ｂの中央の突出片１３ｂ１の裏側に重ねるとともに、両切り込み１１、１１を境にした他方の突出端部１２ｂの両側の突出片１３ｂ２、１３ｂ２を前記切り込み１１を通して一方の突出端部１２ａの両側の突出片１３ａ２、１３ａ２の裏側に重ねて、両突出端部１２ａ、１２ｂを噛み合わせて固定する。
【００１３】
つぎに、その噛み合い部を切り込み１１の先が折り曲げ線１３に至らないように内側に位置させて重ねて折り曲げて鋳鉄管Ｐの外周面に沿わせ（図１Ｃの（ａ）から（ｂ））、ゴムバンド１４で固定する（図１Ｄ）。このとき、前記折り曲げ線１３が突出端部１２ａ、１２の突出基縁となって、その突出基縁１３に切り込み１１は至っていない。
この後、鋳鉄管Ｐを埋設溝に下ろして土を入れて埋設する。このとき、重ね合って折り曲げられた突出端部１２ａ、１２ｂは三層又は四層になって鋳鉄管Ｐ外周上面に位置するとともに（図１Ｃ（ｂ）参照）、突出基縁１３に切り込み１１は至っていないため、その突出端部１２ａ、１２ｂから土及び地下水が入り込むことは無い。
【００１４】
この実施形態においては、請求項２でいう「一方の突出端部の一方の突出片」が「一方の突出端部１２ａの中央の突出片１３ａ１」と、「他方の突出端部の一方の突出片」が「他方の突出端部１２ｂの中央の突出片１３ｂ１」となっている。すなわち、この実施形態においては、切り込み１１は二本あるため、突出片が両突出端部１２ａ、１２ｂにそれぞれ３片形成され、それらが交互に表裏となって重ねるように噛み合わせた状態となる。
【００１５】
他の実施形態を図２Ａ〜図２Ｄに示し、この実施形態は、同様に、既設鋳鉄管Ｐを掘り起こしてその一部を露出させた後、図２Ｂに示すように、ポリエチレンシート１０を鋳鉄管の下方から上方に巻回し、両突出端部１２ａ、１２ｂを重ねてその縁をクリップ１５で止めて固定する（図２Ｃ（ａ））。このとき、ポリエチレンシート１０は、鋳鉄管Ｐの露出部のほぼ全長に亘る長さＬを有するとともに、その幅は鋳鉄管Ｐの外周Ｔより長いものとする。
【００１６】
この後、その重ねた両突出端部１２ａ、１２ｂを折り曲げて鋳鉄管Ｐの外周面に沿わせて（図２Ｃ（ｂ））ゴムバンド１４で固定する（図２Ｄ）。このとき、クリップ１５は取り外すことが好ましい。
この後、鋳鉄管Ｐを埋設溝に下ろして土を入れて埋設する。このとき、同様に、重ね合って折り曲げられた突出端部１２ａ、１２ｂは三層になって鋳鉄管Ｐ外周上面に位置するため（図２Ｃ（ｂ）参照）、その突出端部１２ａ、１２ｂから土が入り込むことは無い。
【００１７】
この実施形態において、クリップ１５に代えて、接着剤等によって両突出端部１２ａ、１２ｂを固定することができる。また、図１Ｂにおいて、両突出端部１２ａ、１２ｂをクリップ１５や接着剤で固定することもできる。
ポリエチレンシート１０に代えて、防食機能を有する他のシートを採用し得ることは勿論である。
鋳鉄管Ｐ以外の鉄管においても採用し得る。ゴムバンド１４に代えて、接着テープや接着剤等を採用することができる。
【００１８】
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１９】
１０  ポリエチレンシート
１１  切り込み
１２ａ、１２ｂ  突出端部
１３ａ１、１３ａ２、１３ｂ１、１３ｂ２  突出片
１３  折り曲げ線
１４  ゴムバンド
１５  クリップ
Ｐ  鋳鉄管
【図１Ａ】
2018112273.tif 000003
【図１Ｂ】
2018112273.tif 000004
【図１Ｃ】
2018112273.tif 000005
【図１Ｄ】
2018112273.tif 000006
【図２Ａ】
2018112273.tif 000007
【図２Ｂ】
2018112273.tif 000008
【図２Ｃ】
2018112273.tif 000009
【図２Ｄ】
2018112273.tif 000010
【図３】
2018112273.tif 000011